(57)【要約】【課題】物品に付されている識別情報が入力されると、利用者を撮影した撮影画像と、識別情報に対応するフレーム画像とを合成し、合成画像の印画物を出力する。【解決手段】画像プリント装置１は、被撮影者を撮影し、撮影画像を生成する撮影部１２と、物品に付された識別情報が入力される入力部１５と、サーバ装置２と通信を行う通信部１７と、通信部１７を介して前記識別情報をサーバ装置２に通知し、サーバ装置２から該識別情報に対応するフレーム画像を取得し、該フレーム画像と前記撮影画像とを合成し、合成画像を生成する画像処理部と、前記合成画像を印画物にプリントして出力するプリンタ１４と、を備える。【選択図】図１
2016122893.tif 000002
【特許請求の範囲】
【請求項１】
被撮影者を撮影し、撮影画像を生成する撮影部と、
物品に付された識別情報が入力される入力部と、
サーバ装置と通信を行う通信部と、
前記通信部を介して前記識別情報を前記サーバ装置に通知し、該サーバ装置から該識別情報に対応するフレーム画像を取得し、該フレーム画像と前記撮影画像とを合成し、合成画像を生成する画像処理部と、
前記合成画像を印画物にプリントして出力するプリンタと、
を備える画像プリント装置。
【請求項２】
前記画像処理部は、前記サーバ装置から前記識別情報に対応する複数のフレーム画像を取得し、該複数のフレーム画像のうち前記被撮影者に選択されたフレーム画像と前記撮影画像とを合成して合成画像を生成することを特徴とする請求項１に記載の画像プリント装置。
【請求項３】
前記画像処理部は、前記サーバ装置から前記識別情報に対応する複数のフレーム画像を取得し、前記撮影画像を該複数のフレーム画像のそれぞれと合成して複数の合成画像を生成し、
前記プリンタは前記複数の合成画像を１枚の印画物にプリントして出力することを特徴とする請求項１に記載の画像プリント装置。
【請求項４】
前記撮影画像を表示する表示部を備え、該表示部は、前記撮影部による撮影中は、前記フレーム画像及び前記合成画像の表示を行わないことを特徴とする請求項１に記載の画像プリント装置。
【請求項５】
前記入力部は、二次元コードに埋め込まれた識別情報を読み取る読取部であることを特徴とする請求項１乃至４のいずれかに記載の画像プリント装置。
【請求項６】
前記入力部は、シリアルコードの入力画面を表示するタッチパネルであることを特徴とする請求項１乃至４のいずれかに記載の画像プリント装置。
【請求項７】
前記フレーム画像はクーポン画像を含むことを特徴とする請求項１乃至６のいずれかに記載の画像プリント装置。
【請求項８】
前記入力部には、商品の包装体への貼付物に印刷された識別情報、又は該包装体に印刷された識別情報が入力されることを特徴とする請求項１乃至７のいずれかに記載の画像プリント装置。
【請求項９】
請求項１乃至８のいずれかに記載の画像プリント装置と、
前記画像プリント装置と通信可能に接続されたサーバ装置と、
を備え、
前記サーバ装置は、
フレーム画像、及び識別情報とフレーム画像との対応関係を規定したテーブルを記憶する記憶部と、
前記画像プリント装置から通知された識別情報が、前記テーブル内の識別情報と一致するか否かを照合する照合部と、
前記テーブルを参照し、前記画像プリント装置から通知された識別情報に対応するフレーム画像を特定する特定部と、
特定されたフレーム画像を前記画像プリント装置へ送信する通信部と、
を有することを特徴とする画像プリントシステム。
【請求項１０】
前記サーバ装置は、前記画像プリント装置から識別情報が通知されると、前記テーブル内の該識別情報に使用済フラグを立てることを特徴とする請求項９に記載の画像プリントシステム。
【請求項１１】
撮影部が、被撮影者を撮影し、撮影画像を生成するステップと、
入力部を介して物品に付された識別情報が入力されるステップと、
画像処理部が、通信部を介して前記識別情報をサーバ装置に通知し、該サーバ装置から該識別情報に対応するフレーム画像を取得し、該フレーム画像と前記撮影画像とを合成して合成画像を生成するステップと、
プリンタが、前記合成画像を印画物にプリントして出力するステップと、
を備える画像プリント方法。
【発明の詳細な説明】
【技術分野】
【０００１】
本発明は、利用者を撮影し、撮影画像をプリントして提供する画像プリント装置、システム及び方法に関する。
【背景技術】
【０００２】
従来、免許証、パスポート、履歴書等に貼付するための証明写真等を撮影するためのボックス型の画像プリント装置が知られている。この画像プリント装置は、人物を撮影し、用途に応じた様々なサイズの写真をプリントして出力する。
【０００３】
また、撮影ボックス内でポーズをとった人物をカメラで撮影し、撮影画像と、背景画像やマスコットなどのキャラクター画像等のフレーム画像とを合成し、専用印画紙やシールなどの媒体にプリントして出力する遊戯用の画像プリント装置（例えばプリクラ（登録商標））がゲームセンタ等に設置されている。
【０００４】
このような画像プリント装置においては、常に新たなサービスの提供が求められている。
【先行技術文献】
【特許文献】
【０００５】
【特許文献１】特開２０１１−７７８５６号公報
【発明の概要】
【発明が解決しようとする課題】
【０００６】
本発明は、上記従来の実状に鑑みてなされたものであり、物品に付されている識別情報が入力されると、利用者を撮影した撮影画像と、識別情報に対応するフレーム画像とを合成し、合成画像の印画物を出力する画像プリント装置、システム及び方法を提供することを課題とする。
【課題を解決するための手段】
【０００７】
本発明の一態様による画像プリント装置は、被撮影者を撮影し、撮影画像を生成する撮影部と、物品に付された識別情報が入力される入力部と、サーバ装置と通信を行う通信部と、前記通信部を介して前記識別情報を前記サーバ装置に通知し、該サーバ装置から該識別情報に対応するフレーム画像を取得し、該フレーム画像と前記撮影画像とを合成し、合成画像を生成する画像処理部と、前記合成画像を印画物にプリントして出力するプリンタと、を備えるものである。
【０００８】
本発明の一態様による画像プリント装置において、前記画像処理部は、前記サーバ装置から前記識別情報に対応する複数のフレーム画像を取得し、該複数のフレーム画像のうち前記被撮影者に選択されたフレーム画像と前記撮影画像とを合成して合成画像を生成してもよい。
【０００９】
本発明の一態様による画像プリント装置において、前記画像処理部は、前記サーバ装置から前記識別情報に対応する複数のフレーム画像を取得し、前記撮影画像を該複数のフレーム画像のそれぞれと合成して複数の合成画像を生成し、前記プリンタは前記複数の合成画像を１枚の印画物にプリントして出力してもよい。
【００１０】
本発明の一態様による画像プリント装置において、前記撮影画像を表示する表示部を備え、該表示部は前記フレーム画像及び前記合成画像の表示を行わなくてもよい。
【００１１】
本発明の一態様による画像プリント装置において、前記入力部は、二次元コードに埋め込まれた識別情報を読み取る読取部であってもよい。
【００１２】
本発明の一態様による画像プリント装置において、前記入力部は、シリアルコードの入力画面を表示するタッチパネルであってもよい。
【００１３】
本発明の一態様による画像プリント装置において、前記フレーム画像はクーポン画像を含んでもよい。
【００１４】
本発明の一態様による画像プリント装置において、前記入力部には、商品の包装体への貼付物に印刷された識別情報、又は該包装体に印刷された識別情報が入力されてもよい。
【００１５】
本発明の一態様による画像プリントシステムは、上記画像プリント装置と、前記画像プリント装置と通信可能に接続されたサーバ装置と、を備え、前記サーバ装置は、フレーム画像、及び識別情報とフレーム画像の対応関係を規定したテーブルを記憶する記憶部と、前記画像プリント装置から通知された識別情報が、前記テーブル内の識別情報と一致するか否かを照合する照合部と、前記テーブルを参照し、前記画像プリント装置から通知された識別情報に対応するフレーム画像を特定する特定部と、特定されたフレーム画像を前記画像プリント装置へ送信する通信部と、を有することを特徴とする。
【００１６】
本発明の一態様による画像プリントシステムにおいて、前記サーバ装置は、前記画像プリント装置から識別情報が通知されると、前記テーブル内の該識別情報に使用済フラグを立ててもよい。
【００１７】
本発明の一態様による画像プリント方法は、撮影部が、被撮影者を撮影し、撮影画像を生成するステップと、入力部を介して物品に付された識別情報が入力されるステップと、画像処理部が、通信部を介して前記識別情報をサーバ装置に通知し、該サーバ装置から該識別情報に対応するフレーム画像を取得し、該フレーム画像と前記撮影画像とを合成して合成画像を生成するステップと、プリンタが、前記合成画像を印画物にプリントして出力するステップと、を備えるものである。
【発明の効果】
【００１８】
本発明によれば、物品に付されている識別情報が入力されると、利用者を撮影した撮影画像と、識別情報に対応するフレーム画像とを合成し、合成画像の印画物を出力できる。
【図面の簡単な説明】
【００１９】
【図１】本発明の実施形態に係る画像プリントシステムの構成図である。
【図２】識別情報を示す二次元コード付シールが貼付された物品を示す図である。
【図３】フレーム画像及び合成画像の例を示す図である。
【図４】同実施形態に係る画像プリント装置の概略構成図である。
【図５】同実施形態に係る演算制御装置のハードウェア構成図である。
【図６】同実施形態に係る画像処理部の機能ブロック図である。
【図７】同実施形態に係るサーバ装置の概略構成図である。
【図８】同実施形態に係る画像プリント方法を説明するシーケンス図である。
【図９】識別情報入力の一例を示す図である。
【図１０】印画物の例を示す図である。
【図１１】印画物の例を示す図である。
【図１２】印画物の例を示す図である。
【発明を実施するための形態】
【００２０】
以下、本発明の実施の形態を図面に基づいて説明する。
【００２１】
図１は本実施形態に係る画像プリントシステムの構成図である。図１に示すように、画像プリントシステムは、インターネット等のネットワークを介して通信可能に接続された画像プリント装置１及びサーバ装置２を備え、キャンペーン対象の物品３を購入した利用者Ｐが、キャンペーン期間限定のフレーム画像を使用して写真を撮影し、印画物４を作成するものである。画像プリント装置１は、人物を撮影し、撮影画像を印画紙やシール等にプリントして出力するボックス型の装置である。
【００２２】
利用者Ｐは、スーパーマーケットやコンビニエンスストア等の店舗Ｓで物品３を購入する。例えば、物品３は食品や飲料などである。図２に示すように、物品３には、物品を識別する識別情報を示す二次元コード３４がプリントされたシール３２が貼付されている。
【００２３】
物品３は、例えば食品や飲料の包装体であってもよく、物品３には、物品を識別する識別情報を示す二次元コード３４がプリントされたシール３２が貼付されている場合だけでなく、このような二次元コードが印刷されていても良い。
【００２４】
利用者Ｐが、画像プリント装置１で二次元コード３４を読み取らせると、画像プリント装置１はサーバ装置２から図３（ａ）に示すようなキャンペーン期間限定のフレーム画像Ｆのデータを取得する。画像プリント装置１は、利用者Ｐを撮影し、撮影画像とフレーム画像とを合成し、図３（ｂ）に示すような合成画像をプリントした印画物４を作成して出力する。画像プリント装置１の利用者Ｐは１人でもよいし複数人でもよく、図３（ｂ）は２人の場合を示している。
【００２５】
このように、本実施形態に係る画像プリントシステムは、キャンペーン対象の物品３を購入した利用者Ｐに対してキャンペーン期間限定のフレーム画像を提供し、このフレーム画像と、画像プリント装置１で撮影した利用者Ｐの撮影画像とを合成してプリントする。利用者Ｐは、特別なフレームを使用した印画物４を作成し、入手することができる。
【００２６】
次に、図４、図５を用いて、画像プリントシステムにおける画像プリント装置１について説明する。図４は、画像プリント装置１の概略構成を示す。画像プリント装置１は、利用者（被撮影者）Ｐを撮影し、撮影画像データを生成する撮影装置１２と、この撮影画像データに対して画像処理を施す演算制御装置１１と、印画物（写真）をプリントするプリンタ１４と、物品３に付された二次元コード３４を読み取る読取部１５と、撮影装置１２が利用者Ｐを撮影する際に利用者Ｐに光を照射するストロボ１６と、サーバ装置２との通信を行う通信部１７とを備える。
【００２７】
また、画像プリント装置１は、利用者Ｐから各種指示を受け付けると共に、プレビュー画像を表示するタッチパネル（指示受付部及び表示部）１３を備えている。さらに、画像プリント装置１には、利用者Ｐが印画物の代金として支払う貨幣を受け入れたり、釣銭を払い出したりする課金部（図示せず）が設けられている。画像プリント装置１における利用者Ｐの背中側の壁紙は、クロマキー合成に適した色、例えば青色や黄緑色になっていてもよい。
【００２８】
撮影装置１２は、例えばデジタルカメラであり、レンズ、シャッタ、ＣＭＯＳセンサ、Ａ／Ｄ変換器等を有する。撮影装置１２が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１２は、撮影画像データを演算制御装置１１へ出力する。
【００２９】
読取部１５には、公知の二次元コード読取装置を使用することができ、例えば、二次元コードを含む読み取り面に向けて照明光を照射する発光ダイオード、読み取り面からの反射光を受光する受光部、撮像したコード像から二次元コードを構成する各セルの二値化処理を行い、二次元コードに埋め込まれた識別情報を読み取る回路部等を有する。
【００３０】
通信部１７は、サーバ装置２と通信を行う。通信部１７は、読取部１５が読み取った二次元コードに埋め込まれている識別情報をサーバ装置２に通知する。また、通信部１７は、サーバ装置２からフレーム画像の画像データを受信する。
【００３１】
演算制御装置１１は、撮影装置１２、タッチパネル１３、プリンタ１４、読取部１５、ストロボ１６、通信部１７、及び課金部に接続されており、各部の制御やデータの受け渡しを行う。
【００３２】
図５に、演算制御装置１１のハードウェア構成を示す。演算制御装置１１は、ＣＰＵ（中央演算処理部）１１０、メインメモリ１１２、ディスク装置１１４、及び入出力部１１６を有する。演算制御装置１１の各部はバスを介して接続されている。
【００３３】
ディスク装置１１４は、ＣＰＵ１１０により実行される画像処理プログラムを格納する。ディスク装置１１４は例えばハードディスクドライブである。なお、画像処理プログラムは、ディスク装置１１４でなく、ＲＯＭや磁気テープ（共に図示せず）に格納されていてもよい。
【００３４】
ＣＰＵ１１０は、ディスク装置１１４内の画像処理プログラムをメインメモリ１１２にロードして、画像処理プログラムを実行する。画像処理プログラムの実行に伴い、メインメモリ１１２上には、撮影画像データ、フレーム画像データ、合成画像データ等を格納する領域が確保される。
【００３５】
ＣＰＵ１１０が画像処理プログラムを実行することで、図６に示すような、取得部１２０、合成部１２２、及びプレビュー表示部１２４を有する画像処理部が実現される。
【００３６】
取得部１２０は、通信部１７を介して、読取部１５が読み取った識別情報をサーバ装置２へ送信し、この識別情報に対応するフレーム画像を要求する。取得部１２０は、通信部１７を介して、サーバ装置２からフレーム画像の画像データを取得する。
【００３７】
合成部１２２は、撮影装置１２による撮影画像と、取得部１２０がサーバ装置２から取得したフレーム画像とを合成して合成画像を作成する。フレーム画像を前景画像としてもよいし、背景画像としてもよい。また、合成部１２２は、撮影画像内の人物と背景色（壁紙色）との色差を判別し、撮影画像から人物画像を切り抜き、人物画像とフレーム画像とを合成してもよい。
【００３８】
プレビュー表示部１２４は、合成画像データをタッチパネル１３でのプレビュー表示に対応したサイズに縮小してプレビュー用画像データを生成し、入出力部１１６を介してタッチパネル１３へ転送する。利用者Ｐは、タッチパネル１３に表示されるプレビュー画像から、フレーム画像と、自身の撮影画像との位置関係等を確認することができる。
【００３９】
タッチパネル１３は、操作ボタンを表示し、操作ボタンが押されると、その操作ボタンに対応した操作指示を受け付ける。タッチパネル１３上の撮影指示ボタンが押されると、ボタンタッチ後、所定のタイミングで撮影処理が行われ、合成画像が静止画表示される。利用者Ｐが、表示された合成画像を確認し、承認ボタンを押すと、演算制御装置１１は、この合成画像（プリント用画像）のデータをプリンタ１４へ転送する。
【００４０】
プリンタ１４は、演算制御装置１１から受け取ったプリント用画像を印画紙やシールなどの印画物にプリントして出力する。プリンタ１４のプリント方式は特に限定されず、インクジェット方式、昇華型熱転写方式、溶融型熱転写方式等を用いることができる。
【００４１】
図７は、サーバ装置２の概略構成を示す。サーバ装置２は、通信部２０、照合部２２、特定部２４、記憶部２６を有し、例えばコンピュータにより構成される。
【００４２】
記憶部２６は、複数種類のフレーム画像のデータ、及び識別情報テーブルを有している。店舗Ｓで販売されるキャンペーン対象の物品３に貼付されたシール３２には、それぞれ異なる識別情報が埋め込まれた二次元コード３４がプリントされている。識別情報テーブルには、識別情報とフレーム画像との対応関係が規定されている。
【００４３】
通信部２０は、画像プリント装置１と通信を行い、データの送受信を行う。
【００４４】
照合部２２は、画像プリント装置１から識別情報が通知されると、識別情報テーブル内の識別情報と照合する。照合部２２は、識別情報テーブルにおいて、照合結果が一致した識別情報に使用済フラグを立てる。
【００４５】
特定部２４は、照合結果が一致した識別情報に対応付けられたフレーム画像を特定する。特定されたフレーム画像の画像データは、通信部２０を介して画像プリント装置１へ送信される。
【００４６】
次に、本実施形態による画像プリント方法を図８に示すシーケンス図を用いて説明する。
【００４７】
利用者Ｐがキャンペーン対象の物品３を購入する（ステップＳ１０１）。物品３には、識別情報を示す二次元コード３４がプリントされたシール３２が貼付されている。二次元コード３４が物品３に印刷されていてもよい。
【００４８】
利用者Ｐは、購入した物品３を持って画像プリント装置１へ移動し、読取部１５に二次元コード３４を読み取らせて、識別情報を入力する（ステップＳ１０２）。
【００４９】
画像プリント装置１は、読み取った識別情報をサーバ装置２へ通知し、対応するフレーム画像を問い合わせる（ステップＳ１０３）。二次元コードには、サーバ装置２のアドレス情報（ＵＲＬ等）が埋め込まれていてもよい。
【００５０】
サーバ装置２は、識別情報テーブルを参照して、通知された識別情報を照合し、対応するフレーム画像を特定する（ステップＳ１０４）。サーバ装置２は、特定したフレーム画像の画像データを画像プリント装置１へ送信する（ステップＳ１０５）。
【００５１】
サーバ装置２は、画像データの送信後、識別情報テーブルにおいて、通知された識別情報に使用済フラグを立ててもよい。以後、画像プリント装置１から同じ識別情報が通知された場合、サーバ装置２は、既に使用された識別情報であるとして、識別情報が使用不可（使用済み）であることを画像プリント装置１に応答する。これにより、購入した１つの物品３について１回のみフレーム画像を提供することができる。
【００５２】
画像プリント装置１で課金処理が行われ、利用者Ｐが所定料金の貨幣を投入する（ステップＳ１０６）。
【００５３】
料金の支払い後、画像プリント装置１では、撮影装置１２が利用者Ｐの撮影を開始し、撮影画像とフレーム画像とを合成した合成画像が、タッチパネル１３のプレビュー画面で連続的に表示される（ステップＳ１０７）。利用者Ｐは、プレビュー画面を確認しながら、ポーズや立ち位置を決める。
【００５４】
このプレビュー画面をみて、利用者Ｐはどのようなフレーム画像が提供されたのかを知ることができる。ステップＳ１０６の料金支払い前にサーバ装置２から受信したフレーム画像をタッチパネル１３に表示し、撮影・プリント処理に進むか否かを選択できるようにしてもよい。
【００５５】
利用者Ｐが撮影指示ボタンを押すと、所定のタイミングで撮影処理が行われ（ステップＳ１０８）、合成画像がタッチパネル１３に静止画表示される。
【００５６】
プリンタ１４が合成画像を印画紙等にプリントして印画物を出力する（ステップＳ１０９）。利用者Ｐは、特別なフレームを使用した印画物を入手できる（ステップＳ１１０）。
【００５７】
なお、ステップＳ１０９の撮影処理後、タッチパネル１３の表示画像を確認し、撮り直しができるようにしてもよい。
【００５８】
このように、本実施形態によれば、物品に付されている識別情報を画像プリント装置１に入力して撮影を行うと、撮影画像と識別情報に対応するフレーム画像とを合成した合成画像の印画物を作成することができる。そのため、キャンペーン対象の物品を購入した利用者のみが、特別なフレーム画像を用いて写真撮影を行うことができる。
【００５９】
利用者は、購入物品に付された二次元コードを見ても、その二次元コードに埋め込まれた識別情報が、どのフレーム画像に対応付けられているかはわからず、画像プリント装置１で撮影を行う際に初めて知ることができる。そのため、フレーム画像が表示されるまでの時間を楽しみながら待つことができる。
【００６０】
また、目当てのフレーム画像が提供されなかった場合は、再度、キャンペーン対象の物品を購入して写真撮影を行おうという気を持たせるため、利用者の物品購入意欲を高めて、物品購入数・写真撮影数を増加させることができる。
【００６１】
サーバ装置２は、フレーム画像の配信時期を設定してもよい。利用者は、所望するフレーム画像の配信時期が限定されることで、物品購入意欲がより高まる。
【００６２】
上記実施形態では、物品３に貼付されたシール３２に二次元コード３４がプリントされ、読取部１５が二次元コード３４を読み取って識別情報が入力される例について説明したが、図９（ａ）に示すように、識別情報としてのシリアルコードがプリントされたシール３６が貼付されていてもよい。この場合、図９（ｂ）に示すように、画像プリント装置１のタッチパネル１３にシリアルコード入力画面が表示され、利用者がテンキーを利用してシール３６にプリントされたシリアルコードを手入力する。
【００６３】
また上記実施形態で説明したように、物品３は、例えば食品や飲料の包装体であってもよく、物品３には、識別情報としてのシリアルコードがプリントされたシール３６が貼付されている場合だけでなく、このようなシリアルコードが印刷されていても良い。
【００６４】
画像プリント装置１は、入力されたシリアルコードをサーバ装置２に通知する。サーバ装置２の記憶部２６に格納されている識別情報テーブルには、シリアルコードとフレーム画像との対応関係が規定されている。照合部２２は、画像プリント装置１から通知されたシリアルコードが、識別情報テーブルに含まれているか、及び使用済みか否かを判定する。
【００６５】
シリアルコードが識別情報テーブルに含まれ、かつ使用済みでない場合、サーバ装置２は、シリアルコードに対応するフレーム画像を画像プリント装置１へ送信する。また、識別情報テーブルにおいて、通知されたシリアルコードに使用済フラグを立てる。
【００６６】
シリアルコードが識別情報テーブルに含まれていない場合、サーバ装置２は、シリアルコードが誤っていることを画像プリント装置１に応答する。また、サーバ装置２は、シリアルコードに使用済フラグが立っている場合、既に使用されたシリアルコードであるとして、画像プリント装置１に使用不可と応答する。
【００６７】
フレーム画像は、端部にキャンペーン対象の物品の割引情報等を有するクーポン画像を含むものでもよい。これにより、図１０に示すように、クーポン券Ｃ付きの印画物４０を作成できる。クーポン券Ｃがあることで、利用者の物品再購入意欲を高めることができる。フレーム画像は、クーポン画像だけでなく、物品の広告画像を含んでもよい。
【００６８】
１つの識別情報に対し、複数のフレーム画像を対応付け、利用者が選択できるようにしてもよい。例えば、図８のステップＳ１０６の料金支払い後、選択可能なフレーム画像がタッチパネル１３に表示される。利用者がタッチパネル１３を操作して選択したフレーム画像を利用して、撮影処理が行われる。
【００６９】
また、複数のフレーム画像との合成画像を作成し、１枚の印画物に分割プリントしてもよい。例えば、図１１に示すように、１枚の印画物４２に、異なる４種類のフレーム画像Ｆ１〜Ｆ４を用いた合成画像を分割プリントする。
【００７０】
フレーム画像はタッチパネル１３に表示しないようにしてもよい。すなわち、画像プリント装置１で撮影を行う際、図１２（ａ）に示すように、プレビュー画面Ｄには利用者のみが表示される。どのようなフレーム画像が合成されたかは、印画物がプリント出力されるまでわからないため、印画物の出来上がりを楽しみながら待つことができる。例えば、図１２（ｂ）、（ｃ）に示すようなキャラクターのフレーム画像が合成された印画物４４、４６が作成される。利用者は、撮影する際に、キャラクター画像がどこに位置するか分からないため、図１２（ｃ）に示すように、フレーム中のキャラクター画像が、利用者の顔部分等に重なることもある。フレーム画像を表示しないことで、フレーム（キャラクター）の配置の偶然性を楽しむことができる。
【００７１】
使用するフレームによっては、画像処理部が撮影画像中の人物の顔や体を検出し、検出した部分にキャラクター画像やアイテム画像を重ねるように合成してもよい。
【００７２】
撮影画像とフレーム画像とを合成した合成画像に対して、文字入力等の編集作業は不可としてもよい。これにより、利用者当たりの画像プリント装置１の利用時間（占有時間）を短縮し、回転率を向上させることができる。
【００７３】
上記実施形態では、サーバ装置２の記憶部２６に複数種類のフレーム画像が用意されている例について説明したが、フレーム画像は１種類でもよい。
【００７４】
上記実施形態では、画像プリント装置１から識別情報が通知されると、サーバ装置２が対応するフレーム画像を画像プリント装置１へ送信する例について説明したが、複数種類のフレーム画像の画像データを、画像プリント装置１の記憶部（ディスク装置１１４）に予め格納しておいてもよい。画像プリント装置１は、入力された（読み取った）識別情報をサーバ装置２に通知する。サーバ装置２は、識別情報テーブルを参照し、通知された識別情報に対応するフレーム画像を特定し、特定結果を画像プリント装置１に通知する。画像プリント装置１は、サーバ装置２から通知されたフレーム画像を用いて、利用者の撮影画像と合成し、印画物をプリント出力する。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７６】
１  画像プリント装置
２  サーバ装置
３  物品
４  印画物
１１  演算制御装置
１２  撮影装置
１３  タッチパネル
１４  プリンタ
１５  読取部
１６  ストロボ
１７  通信部
【図１】
2016122893.tif 000003
【図２】
2016122893.tif 000004
【図３】
2016122893.tif 000005
【図４】
2016122893.tif 000006
【図５】
2016122893.tif 000007
【図６】
2016122893.tif 000008
【図７】
2016122893.tif 000009
【図８】
2016122893.tif 000010
【図９】
2016122893.tif 000011
【図１０】
2016122893.tif 000012
【図１１】
2016122893.tif 000013
【図１２】
2016122893.tif 000014